(57)【要約】【課題】ファクシミリデータの送信元が、予め具体的な処理に対応付けられた指定条件を満たさない場合に、受信データの内容に応じて柔軟に処理の種類を選択できること。【解決手段】画像判定装置４３は、着信したファクシミリデータＤ０の送信元の情報が、予め複数種類の受信データ処理のうちの１つまたは複数に対応付けられた指定条件を満たさない場合に、前記ファクシミリデータＤ０が表す受信画像が予め設定された登録条件を満たすか否かを判定する。制御装置４１は、前記受信画像が前記登録条件を満たすと判定された場合に、前記複数種類の受信データ処理のうち予め前記登録条件に対応付けられた１つまたは複数である登録条件対応処理を受信データ処理装置に実行させる。【選択図】図１
2019092102.tif 000002
【特許請求の範囲】
【請求項１】
ファクシミリデータの受信を拒否する受信拒否処理、受信した前記ファクシミリデータが表す受信画像をシートに形成する印刷処理、受信した前記ファクシミリデータを不揮発性の第１記憶装置に記憶させる保存処理および前記ファクシミリデータの受信を中断する中断処理を含む複数種類の受信データ処理を実行可能な受信データ処理装置と、
着信したファクシミリデータの送信元の情報が、予め前記複数種類の受信データ処理のうちの１つまたは複数に対応付けられた指定条件を満たさない場合に、前記ファクシミリデータが表す受信画像が予め設定された登録条件を満たすか否かを判定する画像判定装置と、
前記受信画像が前記登録条件を満たすと判定された場合に、前記複数種類の受信データ処理のうち予め前記登録条件に対応付けられた１つまたは複数である登録条件対応処理を前記受信データ処理装置に実行させる制御装置と、を備えるファクシミリ装置。
【請求項２】
前記指定条件が、前記送信元の情報が予め設定された１つ以上の登録送信元の情報のうちの１つと一致するという条件である、請求項１に記載のファクシミリ装置。
【請求項３】
前記登録条件が、前記受信画像と予め不揮発性の第２記憶装置に記憶された登録画像データが表す登録画像とが予め定められた一致度合いで一致するという登録画像近似条件を含む、請求項１または請求項２に記載のファクシミリ装置。
【請求項４】
前記登録画像における一部の有効領域を特定する領域情報を設定する領域情報設定装置をさらに備え、
前記画像判定装置は、前記受信画像および前記登録画像における、前記領域情報が表す前記有効領域の画像についてのみ前記登録画像近似条件を判定する、請求項３に記載のファクシミリ装置。
【請求項５】
前記登録画像における一部の無効領域を特定する領域情報を設定する領域情報設定装置をさらに備え、
前記画像判定装置は、前記受信画像および前記登録画像における、前記領域情報が表す前記無効領域以外の領域の画像についてのみ前記登録画像近似条件を判定する、請求項３に記載のファクシミリ装置。
【請求項６】
前記画像判定装置は、前記ファクシミリデータに対する文字認識処理を行うことによって前記受信画像から文字列を抽出可能であり、
前記登録条件が、前記受信画像から抽出される文字列が予め登録された登録文字列を含むという登録文字列条件を含む、請求項１から請求項５のいずれか１項に記載のファクシミリ装置。
【請求項７】
前記指定条件を満たさない前記送信元に対応する前記ファクシミリデータについて前記中断処理が実行される場合に、前記中断処理までに得られる前記ファクシミリデータの一部または全部を仮登録データとして第３記憶装置に記憶させる仮登録データ記録装置をさらに備え、
前記登録条件が、前記受信画像と前記仮登録データが表す画像とが予め定められた一致度合いで一致するという仮登録画像近似条件を含み、
前記制御装置は、前記受信画像が前記仮登録画像近似条件を満たすと判定された場合に、前記印刷処理および前記保存処理を行うことなく前記ファクシミリデータの受信を完了する仮受信処理を前記受信データ処理装置に実行させる、請求項１から請求項６のいずれか１項に記載のファクシミリ装置。
【発明の詳細な説明】
【技術分野】
【０００１】
本発明は、複数種類の受信データ処理が可能なファクシミリ装置に関する。
【背景技術】
【０００２】
一般に、ファクシミリ装置は、受信したファクシミリデータが表す受信画像をシートに形成する印刷処理を実行可能である。さらに、前記ファクシミリ装置が、受信した前記ファクシミリデータを不揮発性の記憶装置に記憶させる保存処理も実行可能であることも多い。
【０００３】
また、前記ファクシミリ装置が、番号非通知の着信を拒否することが知られている（例えば、特許文献１参照）。
【先行技術文献】
【特許文献】
【０００４】
【特許文献１】特開２００６−１６５７３９号公報
【発明の概要】
【発明が解決しようとする課題】
【０００５】
ところで、前記ファクシミリデータの送信元の情報が、予め設定された１つ以上の登録送信元の情報のうちの１つと一致することなどの予め定められた指定条件を満たさない場合がある。
【０００６】
例えば、前記登録送信元の情報が、拒否登録番号および許可登録番号の一方または両方を含むことが考えられる。前記拒否登録番号は、受信拒否の処理または前記保存処理に対応付けられた電話番号である。前記許可登録番号は、前記印刷処理および前記保存処理の一方または両方に対応付けられた電話番号である。
【０００７】
即ち、前記送信元の情報が前記指定条件を満たさない場合における前記ファクシミリデータは、送信元を具体的に特定できない不特定データである。
【０００８】
前記ファクシミリ装置において、前記不特定データの受信に対応する処理の種類が、受信拒否などの一定の処理に固定されるのではなく、受信データの内容に応じて柔軟に選択可能であることが望ましい。
【０００９】
本発明の目的は、ファクシミリデータの送信元が、予め具体的な処理に対応付けられた指定条件を満たさない場合に、受信データの内容に応じて柔軟に処理の種類を選択可能なファクシミリ装置を提供することにある。
【課題を解決するための手段】
【００１０】
本発明の一の局面に係るファクシミリ装置は、受信データ処理装置と、画像判定装置と、制御装置と、を備える。前記受信データ処理装置は、受信したファクシミリデータが表す受信画像をシートに形成する印刷処理、受信した前記ファクシミリデータを不揮発性の記憶装置に記憶させる保存処理および前記ファクシミリデータの受信を中断する中断処理を含む複数種類の受信データ処理を実行可能である。前記画像判定装置は、着信したファクシミリデータの送信元の情報が、予め前記複数種類の受信データ処理のうちの１つまたは複数に対応付けられた指定条件を満たさない場合に、前記ファクシミリデータが表す受信画像が予め設定された登録条件を満たすか否かを判定する。前記制御装置は、前記受信画像が前記登録条件を満たすと判定された場合に、前記複数種類の受信データ処理のうち予め前記登録条件に対応付けられた１つまたは複数である登録条件対応処理を前記受信データ処理装置に実行させる。
【発明の効果】
【００１１】
本発明によれば、ファクシミリデータの送信元が、予め具体的な処理に対応付けられた指定条件を満たさない場合に、受信データの内容に応じて柔軟に処理の種類を選択可能なファクシミリ装置を提供することが可能になる。
【図面の簡単な説明】
【００１２】
【図１】図１は、実施形態に係るファクシミリ装置１０の構成を表すブロック図である。
【図２】図２は、実施形態に係るファクシミリ装置１０における第１不特定データ受信処理の手順の一例を示すフローチャートである。
【図３】図３は、実施形態に係るファクシミリ装置１０における第２不特定データ受信処理の手順の一例を示すフローチャートである。
【図４】図４は、実施形態に係るファクシミリ装置１０における条件登録初期画面の一例を示す図である。
【図５】図５は、実施形態に係るファクシミリ装置１０における第１拒否画像登録画面の一例を示す図である。
【図６】図６は、実施形態に係るファクシミリ装置１０における第２拒否画像登録画面の一例を示す図である。
【図７】図７は、実施形態に係るファクシミリ装置１０における第１許可画像登録画面の一例を示す図である。
【図８】図８は、実施形態に係るファクシミリ装置１０における第２許可画像登録画面の一例を示す図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［ファクシミリ装置１０の構成］
実施形態に係るファクシミリ装置１０は、ファクシミリ受信処理およびファクシミリ送信処理を実行可能な装置である。
【００１５】
前記ファクシミリ送信処理は、原稿９１から画像を読み取る読取処理と、前記読取処理により得られる画像データをファクシミリデータＤ０として他装置１０ｘへ送信するデータ送信処理とを含む。
【００１６】
前記ファクシミリ受信処理は、他装置１０ｘからファクシミリデータＤ０を受信するデータ受信処理と、受信したファクシミリデータＤ０に基づく受信データ処理とを含む。例えば、前記受信データ処理は、受信拒否処理、印刷処理および保存処理のうちの１つまたは複数を含む。
【００１７】
前記受信拒否処理は、ファクシミリデータＤ０の受信を拒否する処理である。この場合、ファクシミリ装置１０は、ファクシミリデータＤ０を受信することなく、他装置１０ｘとの通信を強制終了させる。
【００１８】
前記印刷処理は、受信したファクシミリデータＤ０が表す画像をシート９２に形成する処理である。シート９２は、紙または樹脂フィルムなどのシート状の画像形成媒体である。以下の説明において、受信したファクシミリデータＤ０が表す画像のことを受信画像と称する。
【００１９】
前記保存処理は、受信したファクシミリデータＤ０を不揮発性の二次記憶装置５に記憶させる処理である。ファクシミリ装置１０は、前記保存処理により二次記憶装置５に記憶されたファクシミリデータＤ０に基づく前記印刷処理も実行可能である。
【００２０】
なお、前記保存処理によってファクシミリデータＤ０が記録される二次記憶装置５は、第１記憶装置の一例である。
【００２１】
図１に示されるように、ファクシミリ装置１０は、画像読取装置１、画像形成装置２，ユーザーインターフェイスユニット３、ＣＰＵ（Central Processing Unit）４、ＲＡＭ（Random Access Memory）４ａ、二次記憶装置５および通信装置６などを備える。
【００２２】
ユーザーインターフェイスユニット３は、操作装置３ａおよび表示装置３ｂを含む。操作装置３ａは、ユーザーの操作を受け付ける装置であり、例えばタッチパネルを含む。表示装置３ｂは、画像を表示可能な装置であり、例えば、液晶表示パネルなどの表示パネルを含む。
【００２３】
通信装置６は、通信回線８０を通じて他装置１０ｘとの間で通信を行う通信インターフェイスデバイスである。通信装置６は、モデムを含む。ＣＰＵ４は、他装置１０ｘとの間のファクシミリデータＤ０の送信および受信を、通信装置６を通じて行う。
【００２４】
二次記憶装置５は、コンピューター読み取り可能な不揮発性の記憶装置である。二次記憶装置５は、プログラムおよび各種のデータを記憶可能である。例えば、フラッシュメモリーまたはハードディスクドライブの一方または両方が、二次記憶装置５として採用される。
【００２５】
ＲＡＭ４ａは、ＣＰＵ４が実行する前記プログラムおよびＣＰＵ４が前記プログラムを実行する過程で出力および参照するデータを一次記憶する揮発性の記憶装置である。ＲＡＭ４ａは、二次記憶装置５よりも高速なデータアクセスが可能な記憶装置である。
【００２６】
画像読取装置１は、前記読取処理を実行する。画像読取装置１は、光源１ａ、走査機構１ｂ、イメージセンサー１ｃおよびＡＦＥ（Analog Front End）１ｄなどを備える。
【００２７】
光源１ａは、原稿９１に対して光を出射する。走査機構１ｂは、光源１ａの光を原稿９１に対して走査させる。イメージセンサー１ｃは、原稿９１からの反射光を受光し、受光量の検出信号を画像信号として出力する。ＡＦＥ（１ｄ）は、前記画像信号をデジタルの画像データへ変換する。
【００２８】
画像形成装置２は、電子写真方式またはインクジェット方式などの予め定められた方式で前記印刷処理を実行する。
【００２９】
例えば、画像形成装置２が電子写真方式で前記印刷処理を実行する装置である場合、画像形成装置２は、シート搬送機構２ａ、感光体２ｂ、帯電装置２ｃ、レーザースキャニングユニット２ｄ、現像装置２ｅ、転写装置２ｆおよび定着装置２ｇなどを備える。
【００３０】
シート搬送機構２ａは、予め定められた経路に沿ってシート９２を搬送する。帯電装置２ｃは、感光体２ｂの表面を帯電させる。レーザースキャニングユニット２ｄは、帯電した感光体２ｂの表面に静電潜像を書き込む。
【００３１】
現像装置２ｅは、感光体２ｂ上の前記静電潜像をトナー像へ現像する。転写装置２ｆは、感光体２ｂ上の前記トナー像をシート９２に転写する。定着装置２ｇは、シート９２上の前記トナー像を加熱することにより、前記トナー像をシート９２に定着させる。
【００３２】
ＣＰＵ４は、各種の演算、データ処理およびファクシミリ装置１０が備える各種の電気機器の制御を実行する。ＣＰＵ４は、画像読取装置１、画像形成装置２、ユーザーインターフェイスユニット３および通信装置６との間でデータおよび制御信号の受け渡しが可能である。
【００３３】
例えば、ＣＰＵ４は、予め二次記憶装置５に記憶されたコンピュータープログラムを実行することにより、ＦＡＸ制御部４１および保存処理部４２などとして動作する。
【００３４】
ＦＡＸ制御部４１は、画像読取装置１および通信装置６に前記ファクシミリ送信処理を実行させる。さらに、ＦＡＸ制御部４１は、通信装置６が受信したファクシミリデータＤ０に基づく前記印刷処理を画像形成装置２に実行させる。
【００３５】
保存処理部４２は、ＦＡＸ制御部４１による制御に従って前記保存処理を実行する。なお、ＦＡＸ制御部４１および保存処理部４２は、それぞれプロセッサーによって実現される制御装置および保存処理装置の一例である。
【００３６】
また、後述するように、通信装置６は、ＦＡＸ制御部４１による制御に従って、ファクシミリデータＤ０の受信を中断する中断処理を実行可能である。前記中断処理は、前記受信データ処理の一例である。
【００３７】
以上に示されるように、画像形成装置２、通信装置６および保存処理部４２は、前記印刷処理、前記中断処理および前記保存処理を含む複数種類の前記受信データ処理を実行可能である。
【００３８】
以下の説明において、複数種類の前記受信データ処理を実行可能な画像形成装置２、通信装置６および保存処理部４２のことを、受信データ処理装置と称する。
【００３９】
なお、ＤＳＰ（Digital Signal Processor）などの他のプロセッサーが、ＣＰＵ４の一部または全部の代わりに採用されることも考えられる。
【００４０】
ところで、ファクシミリデータＤ０の送信元の電話番号が、予め設定された１つ以上の登録送信元の電話番号のうちの１つと一致するという予め定められた指定条件を満たさない場合がある。前記指定条件は、予め１つ以上の前記受信データ処理と対応付けられている。
【００４１】
例えば、前記登録送信元の電話番号が、拒否登録番号および許可登録番号の一方または両方を含むことが考えられる。前記拒否登録番号は、前記受信拒否処理または前記保存処理に対応付けられた電話番号である。前記許可登録番号は、前記印刷処理および前記保存処理の一方または両方に対応付けられた電話番号である。
【００４２】
即ち、前記送信元の電話番号が前記指定条件を満たさない場合におけるファクシミリデータＤ０は、送信元を具体的に特定できない不特定データである。なお、前記登録送信元の電話番号は、登録送信元の情報の一例である。
【００４３】
なお、１つ以上の前記拒否登録番号および１つ以上の前記許可登録番号は、予め二次記憶装置５に記憶されたアドレス帳データＤ１に含まれている。
【００４４】
ファクシミリ装置１０において、前記不特定データの受信に対応する処理の種類が、前記受信拒否処理などの一定の処理に固定されるのではなく、受信データの内容に応じて柔軟に選択可能であることが望ましい。
【００４５】
ファクシミリ装置１０において、ＣＰＵ４が、後述する第１不特定データ受信処理および第２不特定データ受信処理を実行する。これにより、ファクシミリデータＤ０の送信元が、予め前記受信拒否処理または前記保存処理などの具体的な処理に対応付けられた前記指定条件を満たさない場合に、ファクシミリ装置１０は、受信データの内容に応じて柔軟に処理の種類を選択可能である。
【００４６】
以下の説明において、ファクシミリ装置１０がファクシミリデータＤ０を受信する際におけるファクシミリデータＤ０の送信元のことを相手装置と称する。本実施形態において、他装置１０ｘが前記相手装置の一例である。
【００４７】
前述したように、ＣＰＵ４は、ＦＡＸ制御部４１および保存処理部４２として動作する。さらに、ＣＰＵ４は、予め二次記憶装置５に記憶されたコンピュータープログラムを実行することにより、画像判定部４３、候補データ記録部４４、条件登録部４５および仮登録データ記録部４６としても動作する。
【００４８】
なお、画像判定部４３、候補データ記録部４４、条件登録部４５および仮登録データ記録部４６は、それぞれプロセッサーによって実現される画像判定装置、候補データ記録装置、画像登録装置および仮登録データ記録装置の一例である。
【００４９】
画像判定部４３、候補データ記録部４４、条件登録部４５および仮登録データ記録部４６が実行する処理については後述する。
【００５０】
通信装置６が他装置１０ｘから着信したときに、ＦＡＸ制御部４１は、その着信に対応するファクシミリデータＤ０の送信元の電話番号が、前記指定条件を満たすか否かを判定する。本実施形態において、前記送信元の情報は、送信元の電話番号である。
【００５１】
本実施形態において、前記指定条件は、前記送信元の電話番号が予め設定された１つ以上の前記拒否登録番号または１つ以上の前記許可登録番号のうちの１つと一致するという条件である。
【００５２】
従って、通信装置６が、電話番号非通知の着信をした場合、ファクシミリデータＤ０の送信元の電話番号は、不明であるため前記指定条件を満たさない。なお、前記送信元の電話番号は、前記送信元の識別情報の一例である。
【００５３】
一方、通信装置６が着信したときに前記相手装置から電話番号の通知を受けた場合に、前記相手装置の電話番号が、１つ以上の前記拒否登録番号および１つ以上の前記許可登録番号のうちのいずれとも一致しない場合がある。この場合も、ファクシミリデータＤ０の送信元の電話番号は、前記指定条件を満たさない。
【００５４】
ＦＡＸ制御部４１は、ファクシミリデータＤ０の送信元の電話番号が、前記指定条件を満たさないと判定した場合に、前記第１不特定データ受信処理および前記第２不特定データ受信処理を開始させる。
【００５５】
前記第１不特定データ受信処理および前記第２不特定データ受信処理は、ＣＰＵ４によって並行して実行される。
【００５６】
また、前記第１不特定データ受信処理が実行される前に、登録画像データＤ２および１つ以上の仮登録データＤ３の一方または両方が、二次記憶装置５に記憶されている場合がある（図１参照）。
【００５７】
登録画像データＤ２は、１つ以上の拒否登録データＤ２１および１つ以上の許可登録データＤ２２の一方または両方を含む。
【００５８】
拒否登録データＤ２１、許可登録データＤ２２および仮登録データＤ３は、画像データである。本実施形態において、拒否登録データＤ２１、許可登録データＤ２２および仮登録データＤ３は、過去のファクシミリ受信により得られたファクシミリデータＤ０の一部または全部である。
【００５９】
拒否登録データＤ２１は、受信を拒否したいファクシミリデータＤ０の画像を表す。従って、拒否登録データＤ２１は、予め前記中断処理に対応付けられている。後述するように、受信されたファクシミリデータＤ０が拒否登録データＤ２１に対して所定の一致度以上で近似する場合、前記中断処理が実行される。
【００６０】
一方、許可登録データＤ２２は、受信を許可したいファクシミリデータＤ０の画像を表す。従って、許可登録データＤ２２は、予め前記印刷処理および前記保存処理の一方または両方に対応付けられている。後述するように、受信されたファクシミリデータＤ０が許可登録データＤ２２に対して所定の一致度以上で近似する場合、前記印刷処理および前記保存処理の一方または両方が実行される。
【００６１】
また、許可登録データＤ２２または仮登録データＤ３に対応付けられた領域情報Ｄ２０が、二次記憶装置５に記憶されている場合もある。領域情報Ｄ２０は、対応する許可登録データＤ２２または仮登録データＤ３における一部の有効領域または無効領域を特定する情報である。
【００６２】
拒否登録データＤ２１および許可登録データＤ２２は、条件登録部４５による画像登録処理により、二次記憶装置５に記録される。また、領域情報Ｄ２０も、条件登録部４５による前記画像登録処理により、二次記憶装置５に記録される。条件登録部４５の前記画像登録処理については後述する。
【００６３】
また、仮登録データＤ３は、仮登録データ記録部４６による工程Ｓ１０４の処理により、二次記憶装置５に記録される。工程Ｓ１０４の処理については後述する。
【００６４】
なお、登録画像データＤ２を記憶する二次記憶装置５は、第２記憶装置の一例である。同様に、仮登録データＤ３を記憶する二次記憶装置５は、第３記憶装置の一例である。
【００６５】
さらに、前記第１不特定データ受信処理が実行される前に、１つ以上の拒否キーワードＤ４１および１つ以上の許可キーワードＤ４２の一方または両方を含む登録キーワードデータＤ４が、二次記憶装置５に記憶されている場合もある（図１参照）。
【００６６】
拒否キーワードＤ４１は、受信を拒否したいファクシミリデータＤ０の前記受信画像に含まれる文字列を表す。従って、拒否キーワードＤ４１は、予め前記中断処理に対応付けられている。後述するように、前記受信画像が拒否キーワードＤ４１を含む場合、前記中断処理が実行される。
【００６７】
一方、許可キーワードＤ４２は、受信を許可したいファクシミリデータＤ０の前記受信画像に含まれる文字列を表す。従って、許可キーワードＤ４２は、予め前記印刷処理および前記保存処理の一方または両方に対応付けられている。後述するように、前記受信画像が許可キーワードＤ４２を含む場合、前記印刷処理および前記保存処理の一方または両方が実行される。
【００６８】
拒否キーワードＤ４１および許可キーワードＤ４２は、条件登録部４５により設定され、さらに二次記憶装置５に記録される。例えば、条件登録部４５は、ユーザーによる操作装置３ａに対するキーワード入力操作に従って、拒否キーワードＤ４１および許可キーワードＤ４２の一方または両方を設定する。
【００６９】
また、文字列抽出部４３ｂが、二次記憶装置５に記憶されたファクシミリデータＤ０に対する文字認識処理により、ファクシミリデータＤ０が表す画像から拒否キーワードＤ４１または許可キーワードＤ４２を抽出することも考えられる。この場合、条件登録部４５は、文字列抽出部４３ｂにより抽出された文字列を、拒否キーワードＤ４１または許可キーワードＤ４２として設定する。
【００７０】
なお、拒否キーワードＤ４１および許可キーワードＤ４２は、予め登録された登録文字列の一例である。
【００７１】
［第１不特定データ受信処理］
次に、図２に示されるフローチャートを参照しつつ、前記第１不特定データ受信処理の手順の一例について説明する。
【００７２】
以下の説明において、Ｓ１０１，Ｓ１０２，…は、前記第１不特定データ受信処理における複数の工程の識別符号を表す。
【００７３】
＜工程Ｓ１０１＞
前記第１不特定データ受信処理において、まず、ＦＡＸ制御部４１が、二次記憶装置５に仮登録データＤ３が記憶されているか否かを判定する。
【００７４】
ＦＡＸ制御部４１は、二次記憶装置５に仮登録データＤ３が記憶されていると判定した場合に処理を工程Ｓ１０７へ移行させ、そうでない場合に処理を工程Ｓ１０２へ移行させる。
【００７５】
＜工程Ｓ１０２＞
仮登録データＤ３が二次記憶装置５に存在しない場合、画像比較部４３ａが、拒否画像比較処理を実行する。
【００７６】
但し、図２には示されていないが、画像比較部４３ａは、拒否登録データＤ２１が二次記憶装置５に記憶されている場合にのみ前記拒否画像比較処理を実行する。拒否登録データＤ２１が二次記憶装置５に記憶されていない場合、画像比較部４３ａは、工程Ｓ１０２をスキップし、処理を工程Ｓ１０５へ移行させる。
【００７７】
前記拒否画像比較処理は、前記受信画像と二次記憶装置５に記憶された拒否登録データＤ２１各々が表す拒否登録画像とが、予め定められた登録画像近似条件を満たすか否かを判定する処理である。前記登録画像近似条件は、２つの画像が予め定められた一致度合いで一致するという条件である。
【００７８】
例えば、画像比較部４３ａは、通信装置６によるファクシミリデータＤ０の受信と並行して、前記受信画像の一部である受信バンド画像が得られるごとに、前記受信バンド画像について前記拒否画像比較処理を実行する。前記受信バンド画像は、１ページ分の前記受信画像が複数に区分された分割画像である。
【００７９】
上記の場合、画像比較部４３ａは、前記受信バンド画像と前記拒否登録画像における前記受信バンド画像に対応する部分との一致度合いを判定する。
【００８０】
そして、画像比較部４３ａは、１ページ分の前記受信画像が得られるまでの間に、前記受信バンド画像ごとの一致度合いの合計が予め定められた近似しきい値を超えた時点で、前記受信画像が前記拒否登録画像との間で前記登録画像近似条件を満たすと判定する。
【００８１】
一方、画像比較部４３ａは、全ページの前記受信画像について、前記受信バンド画像ごとの一致度合いの１ページ分の合計が前記近似しきい値を超えない場合、前記受信画像が前記拒否登録画像との間で前記登録画像近似条件を満たさないと判定する。
【００８２】
なお、前記拒否画像比較処理の対象の拒否登録データＤ２１が、前記有効領域を特定する領域情報Ｄ２０に対応付けられている場合がある。この場合、画像比較部４３ａは、前記受信画像および前記拒否登録画像における、領域情報Ｄ２０が表す前記有効領域の画像についてのみ前記登録画像近似条件を判定する。
【００８３】
同様に、前記拒否画像比較処理の対象の拒否登録データＤ２１が、前記無効領域を特定する領域情報Ｄ２０に対応付けられている場合がある。この場合、画像比較部４３ａは、前記受信画像および前記拒否登録画像における、領域情報Ｄ２０が表す前記無効領域以外の領域の画像についてのみ前記登録画像近似条件を判定する。
【００８４】
そして、画像比較部４３ａは、前記受信画像が前記拒否登録画像との間で前記登録画像近似条件を満たすと判定する場合、処理を工程Ｓ１０３へ移行させ、そうでない場合、処理を工程Ｓ１０５へ移行させる。
【００８５】
＜工程Ｓ１０３＞
工程Ｓ１０３において、ＦＡＸ制御部４１が、予め拒否登録データＤ２１に対応付けられている前記中断処理を通信装置６に実行させる。その後、ＦＡＸ制御部４１は、処理を工程Ｓ１０４へ移行させる。
【００８６】
なお、前記受信画像と前記拒否登録画像との間で判定される前記登録画像近似条件は、予め前記中断処理に対応付けられた登録条件の一例である。また、工程Ｓ１０３で実行される前記中断処理は、前記複数種類の受信データ処理のうち予め前記登録画像近似条件に対応付けられた登録条件対応処理の一例である。
【００８７】
＜工程Ｓ１０４＞
工程Ｓ１０４において、仮登録データ記録部４６が、前記中断処理までに得られるファクシミリデータＤ０の一部または全部を仮登録データＤ３として二次記憶装置５に記憶させる。その後、仮登録データ記録部４６は、前記第１不特定データ受信処理を終了させる。
【００８８】
＜工程Ｓ１０５＞
工程Ｓ１０５において、画像比較部４３ａが、許可画像比較処理を実行する。但し、図２には示されていないが、画像比較部４３ａは、許可登録データＤ２２が二次記憶装置５に記憶されている場合にのみ前記許可画像比較処理を実行する。
【００８９】
許可登録データＤ２２が二次記憶装置５に記憶されていない場合、画像比較部４３ａは、工程Ｓ１０５をスキップし、処理を工程Ｓ１０９へ移行させる。
【００９０】
前記許可画像比較処理は、前記受信画像と二次記憶装置５に記憶された許可登録データＤ２２各々が表す許可登録画像とが、前記登録画像近似条件を満たすか否かを判定する処理である。
【００９１】
前記許可画像比較処理は、前記許可画像比較処理と同様の処理である。但し、前記許可画像比較処理において、前記受信画像との比較対象が前記拒否登録画像から前記許可登録画像へ置き換わっている。
【００９２】
なお、前記許可画像比較処理の対象の許可登録データＤ２２が、前記有効領域を特定する領域情報Ｄ２０に対応付けられている場合がある。この場合、画像比較部４３ａは、前記受信画像および前記許可登録画像における、領域情報Ｄ２０が表す前記有効領域の画像についてのみ前記登録画像近似条件を判定する。
【００９３】
同様に、前記拒否画像比較処理の対象の拒否登録データＤ２１が、前記無効領域を特定する領域情報Ｄ２０に対応付けられている場合がある。この場合、画像比較部４３ａは、前記受信画像および前記拒否登録画像における、領域情報Ｄ２０が表す前記無効領域以外の領域の画像についてのみ前記登録画像近似条件を判定する。
【００９４】
そして、画像比較部４３ａは、前記受信画像が前記許可登録画像との間で前記登録画像近似条件を満たすと判定する場合、処理を工程Ｓ１０６へ移行させ、そうでない場合、処理を工程Ｓ１０９へ移行させる。
【００９５】
＜工程Ｓ１０６＞
工程Ｓ１０６において、ＦＡＸ制御部４１が、通信装置６にファクシミリデータＤ０の受信を継続させる。
【００９６】
さらに、ＦＡＸ制御部４１は、予め許可登録データＤ２２に対応付けられている出力処理を前記受信データ処理装置に実行させる。その後、ＦＡＸ制御部４１は、前記第１不特定データ受信処理を終了させる。前記出力処理は、前記印刷処理および前記保存処理の一方または両方である。
【００９７】
前述したように、画像形成装置２、通信装置６および保存処理部４２が前記受信データ処理装置の一例である。
【００９８】
なお、前記受信画像と前記許可登録画像との間で判定される前記登録画像近似条件は、予め前記出力処理に対応付けられた登録条件の一例である。また、工程Ｓ１０６で実行される前記出力処理は、前記複数種類の受信データ処理のうち予め前記登録画像近似条件に対応付けられた登録条件対応処理の一例である。
【００９９】
許可登録データＤ２２と前記受信データ処理の種類との対応付けは、条件登録部４５によって行われる。条件登録部４５の処理については後述する。
【０１００】
＜工程Ｓ１０７＞
工程Ｓ１０７において、画像比較部４３ａが、仮登録画像比較処理を実行する。前記仮登録画像比較処理は、前記受信画像と二次記憶装置５に記憶された仮登録データＤ３各々が表す仮登録画像とが、予め定められた仮登録画像近似条件を満たすか否かを判定する処理である。
【０１０１】
前記仮登録画像比較処理は、前記許可画像比較処理と同様の処理である。但し、前記仮登録画像比較処理において、前記受信画像との比較対象が前記拒否登録画像から前記仮登録画像へ置き換わっている。
【０１０２】
また、前記仮登録画像近似条件は、前記登録画像近似条件と同様に、２つの画像が予め定められた一致度合いで一致するという条件である。例えば、前記仮登録画像近似条件における２つの画像の一致度合いが、前記登録画像近似条件における２つの画像の一致度合いよりも高く設定されていることが考えられる。
【０１０３】
そして、画像比較部４３ａは、前記受信画像が前記仮登録画像との間で前記仮登録画像近似条件を満たすと判定する場合、処理を工程Ｓ１０８へ移行させ、そうでない場合、処理を工程Ｓ１０２へ移行させる。
【０１０４】
＜工程Ｓ１０８＞
工程Ｓ１０８において、ＦＡＸ制御部４１が、仮受信処理を前記受信データ処理装置に実行させる。その後、ＦＡＸ制御部４１は、前記第１不特定データ受信処理を終了させる。
【０１０５】
前記仮受信処理は、前記印刷処理および前記保存処理を行うことなくファクシミリデータＤ０の受信を完了する処理である。前記仮受信処理は、工程Ｓ１０３の前記中断処理の対象となった前記相手装置によってファクシミリデータＤ０の送信のリトライ処理が繰り返されることを防ぐために実行される。
【０１０６】
前記仮受信処理が実行されることにより、前記中断処理の対象となった前記相手装置は、ファクシミリデータＤ０の送信に成功したと判定し、前記リトライ処理を終了する。なお、前記仮受信処理は、前記複数種類の受信データ処理の１つである。
【０１０７】
なお、前述したように、画像形成装置２、通信装置６および保存処理部４２が前記受信データ処理装置の一例である。
【０１０８】
＜工程Ｓ１０９＞
工程Ｓ１０９において、ＦＡＸ制御部４１は、ファクシミリデータＤ０の受信が完了していなければ、処理を工程Ｓ１０２へ移行させる。一方、ＦＡＸ制御部４１は、ファクシミリデータＤ０の受信が完了していれば、前記第１不特定データ受信処理を終了させる。
【０１０９】
［第２不特定データ受信処理］
次に、図３に示されるフローチャートを参照しつつ、前記第２不特定データ受信処理の手順の一例について説明する。
【０１１０】
以下の説明において、Ｓ２０１，Ｓ２０２，…は、前記第２不特定データ受信処理における複数の工程の識別符号を表す。
【０１１１】
＜工程Ｓ２０１＞
前記第２不特定データ受信処理において、まず、文字列抽出部４３ｂが、受信中のファクシミリデータＤ０に対する文字認識処理を行うことによって前記受信画像から文字列を抽出する。
【０１１２】
以下の説明において、前記受信画像から抽出された文字列のことを受信文字列と称する。文字列抽出部４３ｂは、１ページ分の前記受信画像ごとに前記受信文字列を蓄積して記憶する。
【０１１３】
文字列抽出部４３ｂは、前記受信画像から前記受信文字列を抽出できた場合に、処理を工程Ｓ２０２へ移行させ、そうでない場合に、処理を工程Ｓ２０６へ移行させる。
【０１１４】
＜工程Ｓ２０２＞
工程Ｓ２０２において、文字列比較部４３ｃが、拒否文字列比較処理を実行する。前記拒否文字列比較処理は、前記受信文字列が予め登録された拒否キーワードＤ４１を含むか否かを判定する処理である。
【０１１５】
文字列比較部４３ｃは、前記受信文字列が拒否キーワードＤ４１を含むと判定した場合、処理を工程Ｓ２０３へ移行させ、そうでない場合、処理を工程Ｓ２０４へ移行させる。
【０１１６】
＜工程Ｓ２０３＞
工程Ｓ２０３において、ＦＡＸ制御部４１は、通信装置６に前記中断処理を実行させる。その後、ＦＡＸ制御部４１は、前記第２不特定データ受信処理を終了させる。
【０１１７】
なお、工程Ｓ２０２の処理は、前記受信画像が登録文字列条件を満たすか否かを判定する処理の一例である。ここで、前記登録文字列条件は、前記抽出文字列が予め登録された前記登録文字列の一例である拒否キーワードＤ４１を含むという条件である。なお、前記登録文字列条件は、予め設定された登録条件の一例である。
【０１１８】
また、工程Ｓ２０３で実行される前記中断処理は、前記複数種類の受信データ処理のうち予め前記登録文字列条件に対応付けられた登録条件対応処理の一例である。
【０１１９】
＜工程Ｓ２０４＞
工程Ｓ２０４において、文字列比較部４３ｃが、許可文字列比較処理を実行する。前記許可文字列比較処理は、前記受信文字列が予め登録された許可キーワードＤ４２を含むか否かを判定する処理である。
【０１２０】
文字列比較部４３ｃは、前記受信文字列が許可キーワードＤ４２を含むと判定した場合、処理を工程Ｓ２０５へ移行させ、そうでない場合、処理を工程Ｓ２０６へ移行させる。
【０１２１】
＜工程Ｓ２０５＞
工程Ｓ２０５において、ＦＡＸ制御部４１が、通信装置６にファクシミリデータＤ０の受信を継続させる。さらに、ＦＡＸ制御部４１は、予め許可キーワードＤ４２に対応付けられている前記印刷処理および前記保存処理の一方または両方を、前記受信データ処理装置に実行させる。その後、ＦＡＸ制御部４１は、前記第２不特定データ受信処理を終了させる。
【０１２２】
前述したように、画像形成装置２、通信装置６および保存処理部４２が前記受信データ処理装置の一例である。
【０１２３】
なお、工程Ｓ２０４の処理は、工程Ｓ２０２の処理と同様に、前記受信画像が登録文字列条件を満たすか否かを判定する処理の一例である。ここで、前記登録文字列条件は、前記抽出文字列が予め登録された前記登録文字列の一例である許可キーワードＤ４２を含むという条件である。なお、前記登録文字列条件は、予め設定された登録条件の一例である。
【０１２４】
また、工程Ｓ２０５で実行される前記出力処理は、工程Ｓ２０３の処理と同様に、前記複数種類の受信データ処理のうち予め前記登録文字列条件に対応付けられた登録条件対応処理の一例である。
【０１２５】
許可キーワードＤ４２と前記受信データ処理の種類との対応付けは、キーワード登録部４７によって行われる。例えば、キーワード登録部４７は、ユーザーによる操作装置３ａに対する操作に従って、許可キーワードＤ４２に対応する前記受信データ処理の種類を設定する。
【０１２６】
＜工程Ｓ２０６＞
工程Ｓ２０６において、ＦＡＸ制御部４１は、ファクシミリデータＤ０の受信が完了していなければ、処理を工程Ｓ２０１へ移行させる。一方、ＦＡＸ制御部４１は、ファクシミリデータＤ０の受信が完了していれば、前記第２不特定データ受信処理を終了させる。
【０１２７】
以上に示されるように、ファクシミリ装置１０において、着信したファクシミリデータＤ０の送信元の情報が前記指定条件を満たさない場合に、画像判定部４３は、前記受信画像が予め設定された登録条件を満たすか否かを判定する（図２の工程Ｓ１０２，Ｓ１０５および図３の工程Ｓ２０１，Ｓ２０２，Ｓ２０４）。
【０１２８】
また、前記登録条件は、図２の工程Ｓ１０２，Ｓ１０５で判定される前記登録画像近似条件と、図３の工程Ｓ２０２，Ｓ２０４で判定される前記登録文字列条件とを含む。
【０１２９】
そして、前記受信画像が前記登録条件を満たすと判定された場合に、ＦＡＸ制御部４１は、前記複数種類の受信データ処理のうち予め前記登録条件に対応付けられた１つまたは複数である前記登録条件対応処理を前記受信データ処理装置に実行させる（図２の工程Ｓ１０３，Ｓ１０６および図３の工程Ｓ２０３，Ｓ２０５）。
【０１３０】
従って、ファクシミリデータＤ０の送信元が、予め前記受信拒否処理または前記保存処理などの具体的な処理に対応付けられた前記指定条件を満たさない場合に、ファクシミリ装置１０は、受信データの内容に応じて柔軟に処理の種類を選択可能である。
【０１３１】
また、拒否登録データＤ２１に対応する領域情報Ｄ２０が設定される場合がある。領域情報Ｄ２０は、前記有効領域または前記無効領域を特定する情報である。
【０１３２】
領域情報Ｄ２０が設定される場合、画像比較部４３ａは、工程Ｓ１０２，Ｓ１０５において、前記受信画像と前記拒否登録画像または前記許可登録画像における、領域情報Ｄ２０により特定される一部の領域についてのみ、前記登録画像近似条件を判定する。
【０１３３】
具体的には、画像比較部４３ａは、領域情報Ｄ２０により特定される前記有効領域の画像についてのみ、または、領域情報Ｄ２０により特定される前記無効領域以外の領域の画像についてのみ、前記登録画像近似条件を判定する（Ｓ１０２，Ｓ１０５）。
【０１３４】
従って、領域情報Ｄ２０が設定されることにより、ファクシミリ装置１０は、受信データの内容に応じてより柔軟に処理の種類を選択可能である。
【０１３５】
また、前記指定条件を満たさない前記送信元に対応するファクシミリデータＤ０について前記中断処理が実行される場合がある（図２の工程Ｓ１０３）。この場合、仮登録データ記録部４６は、前記中断処理までに得られるファクシミリデータＤ０の一部または全部を仮登録データＤ３として二次記憶装置５に記憶させる（図２の工程Ｓ１０４）。
【０１３６】
さらに、前記登録条件は、工程Ｓ１０７で判定される前記仮登録画像近似条件を含む。そして、ＦＡＸ制御部４１は、前記受信画像が前記仮登録画像近似条件を満たすと判定された場合に、前記仮受信処理を前記受信データ処理装置に実行させる（図２の工程Ｓ１０８）。
【０１３７】
従って、工程Ｓ１０３の前記中断処理の対象となった前記相手装置によってファクシミリデータＤ０の送信のリトライ処理が繰り返されることが防がれる。その結果、ファクシミリ装置１０が前記中断処理の対象となった前記相手装置によって長時間占有されることが防止される。
【０１３８】
［条件登録処理］
次に、図４〜図８を参照しつつ、条件登録部４５により実行される前記条件登録処理の一例について説明する。
【０１３９】
前記条件登録処理において、条件登録部４５は、拒否画像登録処理、拒否キーワード登録処理、許可画像登録処理または許可キーワード登録処理を実行する。
【０１４０】
前記拒否画像登録処理は、二次記憶装置５に記憶されているファクシミリデータＤ０、仮登録データＤ３またはその他の画像データを拒否登録データＤ２１として二次記憶装置５に記憶させる処理である。
【０１４１】
同様に、前記許可画像登録処理は、二次記憶装置５に記憶されているファクシミリデータＤ０、仮登録データＤ３またはその他の画像データを許可登録データＤ２２として二次記憶装置５に記憶させる処理である。
【０１４２】
前記拒否キーワード登録処理は、操作装置３ａに対する文字列入力操作に従って、拒否キーワードＤ４１を設定するとともに二次記憶装置５に記憶させる処理である。
【０１４３】
同様に、前記許可キーワード登録処理は、操作装置３ａに対する文字列入力操作に従って、許可キーワードＤ４２を設定するとともに二次記憶装置５に記憶させる処理である。
【０１４４】
操作装置３ａに対して予め定められた登録開始操作が行われたときに、条件登録部４５は前記画像登録処理を開始する。前記画像登録処理において、条件登録部４５は、例えば図４に示されるような条件登録初期画面ｇ０を表示装置３ｂに表示させる。
【０１４５】
条件登録初期画面ｇ０は、第１選択アイコンｇ０１、第２選択アイコンｇ０２、第３選択アイコンｇ０３および第４選択アイコンｇ０４などを含む。
【０１４６】
条件登録部４５は、第１選択アイコンｇ０１が操作されたときに、前記拒否画像登録処理を実行する。また、条件登録部４５は、第２選択アイコンｇ０２が操作されたときに、前記拒否キーワード登録処理を実行する。
【０１４７】
同様に、条件登録部４５は、第３選択アイコンｇ０３が操作されたときに、前記許可画像登録処理を実行する。また、条件登録部４５は、第４選択アイコンｇ０４が操作されたときに、前記許可キーワード登録処理を実行する。
【０１４８】
以下、前記拒否画像登録処理および前記許可画像登録処理の例について説明する。
【０１４９】
［拒否画像登録処理］
前記拒否画像登録処理において、条件登録部４５は、例えば図５に示されるような第１拒否画像登録画面ｇ１を表示装置３ｂに表示させる。第１拒否画像登録画面ｇ１は、データ選択アイコンｇ１１および次移行アイコンｇ１２などを含む。
【０１５０】
さらに、条件登録部４５は、データ選択アイコンｇ１１の操作および操作装置３ａに対するデータ選択操作に従って、二次記憶装置５に記憶されているファクシミリデータＤ０、仮登録データＤ３およびその他の画像データのうちの１つを拒否登録データＤ２１として選択する。
【０１５１】
なお、条件登録部４５が、画像読取装置１により得られる画像データを拒否登録データＤ２１として選択することも考えられる。
【０１５２】
さらに、条件登録部４５は、選択した拒否登録データＤ２１が表す拒否登録画像ｆ０を表示装置３ｂに表示させる。これにより、ユーザーは、意図した画像データが拒否登録データＤ２１として選択されたか否かを確認することができる。
【０１５３】
さらに、条件登録部４５は、拒否登録データＤ２１が選択された状態で次移行アイコンｇ１２が操作されたときに、例えば図６に示されるような第２拒否画像登録画面ｇ２を表示装置３ｂに表示させる。
【０１５４】
第２拒否画像登録画面ｇ２は、無効領域指定アイコンｇ２１、有効領域指定アイコンｇ２２、キーワード領域指定アイコンｇ２３、指定解除アイコンｇ２４、画像登録アイコンｇ２５およびキーワード登録アイコンｇ２６などを含む。
【０１５５】
無効領域指定アイコンｇ２１がユーザーにより操作された場合に、条件登録部４５は、操作装置３ａに対する領域指定操作に従って、拒否登録画像ｆ０における一部の無効領域ｆ０１を特定する領域情報Ｄ２０を設定する。
【０１５６】
同様に、有効領域指定アイコンｇ２２がユーザーにより操作された場合に、条件登録部４５は、操作装置３ａに対する領域指定操作に従って、拒否登録画像ｆ０における一部の前記有効領域を特定する領域情報Ｄ２０を設定する。
【０１５７】
一方、キーワード領域指定アイコンｇ２３がユーザーにより操作された場合に、条件登録部４５は、操作装置３ａに対する領域指定操作に従って、拒否登録画像ｆ０における一部の文字認識領域を設定する。
【０１５８】
さらに、文字列抽出部４３ｂが、拒否登録画像ｆ０における前記文字認識領域の画像に前記文字認識処理を行う。さらに、文字列抽出部４３ｂは、前記文字認識処理によって前記文字認識領域の画像から抽出した文字列を拒否キーワードＤ４１として設定する。
【０１５９】
そして、条件登録部４５は、画像登録アイコンｇ２５が操作されたときに、選択された拒否登録データＤ２１および設定された領域情報Ｄ２０を二次記憶装置５に記憶させる。なお、領域情報Ｄ２０が設定されない場合もある。
【０１６０】
また、条件登録部４５は、キーワード登録アイコンｇ２６が操作されたときに、前記文字認識領域の画像から抽出された拒否キーワードＤ４１を二次記憶装置５に記憶させる。なお、拒否キーワードＤ４１が設定されない場合もある。
【０１６１】
なお、条件登録部４５は、指定解除アイコンｇ２４が操作されたときに、前記無効領域、前記有効領域および前記文字認識領域の指定を解除する。
【０１６２】
［許可画像登録処理］
前記許可画像登録処理において、条件登録部４５は、例えば図７に示されるような第１許可画像登録画面ｇ３を表示装置３ｂに表示させる。第１許可画像登録画面ｇ３は、データ選択アイコンｇ３１、処理選択アイコンｇ３２および次移行アイコンｇ３３などを含む。
【０１６３】
さらに、条件登録部４５は、データ選択アイコンｇ３１の操作および操作装置３ａに対するデータ選択操作に従って、二次記憶装置５に記憶されているファクシミリデータＤ０、仮登録データＤ３およびその他の画像データのうちの１つを許可登録データＤ２２として選択する。
【０１６４】
なお、条件登録部４５が、画像読取装置１により得られる画像データを許可登録データＤ２２として選択することも考えられる。
【０１６５】
さらに、条件登録部４５は、選択した許可登録データＤ２２が表す許可登録画像ｆ１を表示装置３ｂに表示させる。これにより、ユーザーは、意図した画像データが許可登録データＤ２２として選択されたか否かを確認することができる。
【０１６６】
さらに、条件登録部４５は、処理選択アイコンｇ３２の操作に従って、前記印刷処理のみ、前記保存処理のみ、または前記印刷処理および前記保存処理の両方を前記出力処理として選択する。
【０１６７】
さらに、条件登録部４５は、許可登録データＤ２２および前記出力処理が選択された状態で次移行アイコンｇ３３が操作されたときに、例えば図８に示されるような第２許可画像登録画面ｇ４を表示装置３ｂに表示させる。
【０１６８】
第２許可画像登録画面ｇ４は、図６に示される第２拒否画像登録画面ｇ２と同様に、無効領域指定アイコンｇ４１、有効領域指定アイコンｇ４２、キーワード領域指定アイコンｇ４３、指定解除アイコンｇ４４、画像登録アイコンｇ４５およびキーワード登録アイコンｇ４６などを含む。
【０１６９】
無効領域指定アイコンｇ４１がユーザーにより操作された場合に、条件登録部４５は、操作装置３ａに対する領域指定操作に従って、許可登録画像ｆ１における一部の無効領域ｆ０１を特定する領域情報Ｄ２０を設定する。
【０１７０】
同様に、有効領域指定アイコンｇ４２がユーザーにより操作された場合に、条件登録部４５は、操作装置３ａに対する領域指定操作に従って、許可登録画像ｆ１における一部の前記有効領域を特定する領域情報Ｄ２０を設定する。
【０１７１】
以上に示されるように、ファクシミリ装置１０が採用されれば、拒否登録画像ｆ０または許可登録画像ｆ１における前記無効領域または前記有効領域を設定することができる。これにより、より自由度の高い拒否登録画像ｆ０または許可登録画像ｆ１を設定することができる。
【０１７２】
なお、条件登録部４５は、登録画像データＤ２が表す前記拒否登録画像または前記許可登録画像における一部の前記無効領域または前記有効領域を特定する領域情報Ｄ２０を設定する領域情報設定装置の一例である。
【０１７３】
一方、キーワード領域指定アイコンｇ４３がユーザーにより操作された場合に、条件登録部４５は、操作装置３ａに対する領域指定操作に従って、許可登録画像ｆ１における一部の文字認識領域を設定する。
【０１７４】
さらに、文字列抽出部４３ｂが、許可登録画像ｆ１における前記文字認識領域の画像に前記文字認識処理を行う。さらに、文字列抽出部４３ｂは、前記文字認識処理によって前記文字認識領域の画像から抽出した文字列を許可キーワードＤ４２として設定する。
【０１７５】
そして、条件登録部４５は、画像登録アイコンｇ４５が操作されたときに、選択された許可登録データＤ２２および設定された領域情報Ｄ２０を二次記憶装置５に記憶させる。なお、領域情報Ｄ２０が設定されない場合もある。
【０１７６】
また、条件登録部４５は、キーワード登録アイコンｇ４６が操作されたときに、前記文字認識領域の画像から抽出された許可キーワードＤ４２を二次記憶装置５に記憶させる。なお、許可キーワードＤ４２が設定されない場合もある。
【符号の説明】
【０１７７】
１        ：画像読取装置
１ａ      ：光源
１ｂ      ：走査機構
１ｃ      ：イメージセンサー
２        ：画像形成装置
２ａ      ：シート搬送機構
２ｂ      ：感光体
２ｃ      ：帯電装置
２ｄ      ：レーザースキャニングユニット
２ｅ      ：現像装置
２ｆ      ：転写装置
２ｇ      ：定着装置
３        ：ユーザーインターフェイスユニット
３ａ      ：操作装置
３ｂ      ：表示装置
４        ：ＣＰＵ
４ａ      ：ＲＡＭ
５        ：二次記憶装置（第１記憶装置、第２記憶装置、第３記憶装置）
６        ：通信装置
１０      ：ファクシミリ装置
１０ｘ    ：他装置
４１      ：ＦＡＸ制御部（制御装置）
４２      ：保存処理部
４３      ：画像判定部（画像判定装置）
４３ａ    ：画像比較部
４３ｂ    ：文字列抽出部
４３ｃ    ：文字列比較部
４４      ：候補データ記録部
４５      ：条件登録部（領域情報設定装置）
４６      ：仮登録データ記録部（仮登録データ記録装置）
４７      ：キーワード登録部
８０      ：通信回線
９１      ：原稿
９２      ：シート
Ｄ０      ：ファクシミリデータ
Ｄ１      ：アドレス帳データ
Ｄ２      ：登録画像データ
Ｄ２０    ：領域情報
Ｄ２１    ：拒否登録データ
Ｄ２２    ：許可登録データ
Ｄ３      ：仮登録データ
Ｄ４      ：登録キーワードデータ
Ｄ４１    ：拒否キーワード
Ｄ４２    ：許可キーワード
ｆ０      ：拒否登録画像（登録画像）
ｆ０１    ：無効領域
ｆ１      ：許可登録画像（登録画像）
ｇ０      ：条件登録初期画面
ｇ０１    ：第１選択アイコン
ｇ０２    ：第２選択アイコン
ｇ０３    ：第３選択アイコン
ｇ０４    ：第４選択アイコン
ｇ１      ：第１拒否画像登録画面
ｇ１１    ：データ選択アイコン
ｇ１２    ：次移行アイコン
ｇ２      ：第２拒否画像登録画面
ｇ２１    ：無効領域指定アイコン
ｇ２２    ：有効領域指定アイコン
ｇ２３    ：キーワード領域指定アイコン
ｇ２４    ：指定解除アイコン
ｇ２５    ：画像登録アイコン
ｇ２６    ：キーワード登録アイコン
ｇ３      ：第１許可画像登録画面
ｇ３１    ：データ選択アイコン
ｇ３２    ：処理選択アイコン
ｇ３３    ：次移行アイコン
ｇ４      ：第２許可画像登録画面
ｇ４１    ：無効領域指定アイコン
ｇ４２    ：有効領域指定アイコン
ｇ４３    ：キーワード領域指定アイコン
ｇ４４    ：指定解除アイコン
ｇ４５    ：画像登録アイコン
ｇ４６    ：キーワード登録アイコン
【図１】
2019092102.tif 000003
【図２】
2019092102.tif 000004
【図３】
2019092102.tif 000005
【図４】
2019092102.tif 000006
【図５】
2019092102.tif 000007
【図６】
2019092102.tif 000008
【図７】
2019092102.tif 000009
【図８】
2019092102.tif 000010